(57)【特許請求の範囲】
【請求項１】
基本支持体に固定されるように設計及び構成された支持構造と、
前記支持構造に結合された複数の知覚出力タイルモジュールと、
前記支持構造に結合され、前記複数の知覚出力タイルモジュールのうちの少なくともいくつかのための美的サラウンドを形成するように、前記複数の知覚出力タイルモジュールのうちのタイルモジュールと隣接関係で配置された、複数の非知覚出力タイルモジュールと、
前記知覚出力タイルモジュールを駆動するための少なくとも１つのドライバに前記知覚出力タイルモジュールを電気的に接続する電気回路網であって、前記非知覚出力タイルモジュールのうちの少なくとも１つは前記電気回路網の一部を形成する少なくとも１つのパススルー導電体を含む、電気回路網と、を備える、
建築用タイル張りパネルシステム。
【請求項２】
前記非知覚出力タイルモジュール及び前記知覚出力タイルモジュールは、複数の電気コネクタビスケットを介して共に電気的に接続される、請求項１に記載の建築用タイル張りパネルシステム。
【請求項３】
前記知覚出力タイルモジュールの各々及び前記非知覚出力タイルモジュールの各々は、前記電気コネクタビスケットのうちの１つの一部を共形的に係合するように設計及び構成された陥凹部のセットを含む、請求項２に記載の建築用タイル張りパネルシステム。
【請求項４】
前記支持構造は、強磁性材料を備え、各非知覚出力タイルモジュール及び各知覚出力タイルモジュールは、前記非知覚出力タイルモジュール又は知覚出力タイルモジュールを前記支持構造に固定するための少なくとも１つの磁石を含む、請求項１に記載の建築用タイル張りパネルシステム。
【請求項５】
前記支持構造は、フレームと、前記フレームに固定された複数の電気コネクタと、を備える、請求項１に記載の建築用タイル張りパネルシステム。
【請求項６】
前記複数の電気コネクタは、前記知覚出力タイルモジュール及び前記非知覚出力タイルモジュールのうちの隣接するタイルモジュール間で電力及び／又はドライバ信号を渡す、パススルーコネクタとして構成される、請求項５に記載の建築用タイル張りパネルシステム。
【請求項７】
各知覚出力タイルモジュールは、提示面を有し、前記非知覚出力タイルモジュールのうちの少なくともいくつかは、各々が、前記知覚出力タイルモジュールのうちの少なくとも１つの前記提示面よりも大きい提示面を有する、請求項１に記載の建築用タイル張りパネルシステム。
【請求項８】
前記知覚出力及び非知覚出力のタイルモジュールは、統一されたパネルを形成するために互いに結合される、請求項１に記載の建築用タイル張りパネルシステム。
【請求項９】
前記知覚出力及び非知覚出力のタイルのうちの隣接するタイルは、前記統一されたパネルを形成するために互いに堅く固定される、請求項８に記載の建築用タイル張りパネルシステム。
【請求項１０】
各知覚出力及び非知覚出力のタイルモジュールは、裏側及び複数のコーナーを含み、前記建築用タイル張りパネルシステムは、前記知覚出力及び非知覚出力のタイルモジュールのうちの隣接するタイルモジュールを前記裏側の隣接コーナーで共に固定する複数のコーナーコネクタブロックをさらに備える、請求項９に記載の建築用タイル張りパネルシステム。
【請求項１１】
前記複数の知覚出力タイルモジュールの各々及び前記複数の非知覚出力タイルモジュールの各々は、複数のキーホールを有する裏側を有し、
前記建築用タイル張りパネルシステムは、隣接するタイルモジュールのセットを互いに固定関係でしっかりと保持するように、前記複数の知覚出力タイルモジュール及び前記複数の非知覚出力タイルモジュールのうちの前記隣接するタイルモジュールの対応するセット上で、前記複数のキーホールのうちの対応するものをはめ合い的に係合するように設計及び構成された、少なくとも２つのラッチ機構を各々が有する、複数のコネクタをさらに備える、請求項１に記載の建築用タイル張りパネルシステム。
【請求項１２】
前記複数のコネクタの各々は、基底部を備え、前記少なくとも２つのラッチ機構の各々は、前記基底部に回転可能に係合され、
前記対応するキーホールに対して適切に回転された時、前記複数のキーホールのうちの対応するキーホールとの締まりばめを有するように設計及び構成されたキャッチと、
互いに間隔が空けられた第１及び第２の端部を有し、前記第１の端部は前記キャッチに固定されるキャッチ支持部材と、
前記基底部に回転可能に係合され、前記第２の端部で前記キャッチ支持部材に旋回可能に固定されたレバーであって、前記レバーは、前記基底部を係合するように、及び、ユーザが前記レバーをラッチ解除位置からラッチ位置へと旋回すると、前記キャッチを前記基底部方向に引き寄せるように、設計及び構成されたカム面を有する、レバーと、
を含む、請求項１１に記載の建築用タイル張りパネルシステム。
【請求項１３】
前記複数の知覚出力タイルモジュールの各々及び前記複数の非知覚出力タイルモジュールの各々は、矩形であり、前記複数のコネクタのうちの少なくともいくつかは、前記複数の知覚出力タイルモジュール及び前記複数の非知覚出力タイルモジュールの各々のうちの４つの対応するタイルモジュールの４つの隣接するコーナーを共に接続するように設計及び構成された、４コーナーコネクタである、請求項１１に記載の建築用タイル張りパネルシステム。
【請求項１４】
前記複数の知覚出力タイルモジュールの第１のセットは、コンポジットビデオディスプレイパネルに配置及び接続されたビデオディスプレイモジュールであり、
前記複数の非知覚出力タイルモジュールの第１のセットは、前記コンポジットビデオディスプレイパネルに美的サラウンドを提供するように、前記コンポジットビデオディスプレイパネルの周囲に配置される、請求項１に記載の建築用タイル張りパネルシステム。
【請求項１５】
前記知覚出力タイルモジュールのうちの少なくとも１つは、オーディオスピーカモジュールである、請求項１４に記載の建築用タイル張りパネルシステム。
【発明の詳細な説明】
【技術分野】
【０００１】
関連出願の相互参照
[1]  本願は、２０１６年６月１３日出願の「ＡＲＣＨＩＴＥＣＴＵＲＡＬ  ＰＡＮＥＬ  ＳＹＳＴＥＭ  ＣＯＭＰＯＳＥＤ  ＯＦ  Ａ  ＣＯＭＢＩＮＡＴＩＯＮ  ＯＦ  ＥＬＥＣＴＲＯＮＩＣＡＬＬＹ  ＡＣＴＩＶＥ  ＡＮＤ  ＩＮＡＣＴＩＶＥ  ＴＩＬＥ  ＭＯＤＵＬＥＳ，  ＡＮＤ  ＣＯＭＰＯＮＥＮＴＳ  ＴＨＥＲＥＦＯＲ」という名称の米国仮特許出願第６２／３４９，３９５号の優先権の利益を主張するものであり、その全体が参照により本明細書に組み込まれる。
【背景技術】
【０００２】
[2]  本発明は一般に、建築用タイル張りパネルシステムの分野に関する。特に、本発明は、知覚出力タイルモジュールと非知覚出力タイルモジュールとの組み合わせ、及びそれらのためのコンポーネントから構成される、建築用パネルシステムを対象とする。
【発明の概要】
【発明が解決しようとする課題】
【０００３】
[3]  照明、ビデオディスプレイ、及びオーディオスピーカは、しばしば、設置の美的感覚が重要な考慮事項である建物及び他の構造物に組み込まれる。例えば、いくつかのタイプの天井及び壁照明は天井又は壁の内部に形成される陥凹部内に埋め込まれ、ビデオディスプレイは壁に組み込まれることがあり、同様にオーディオスピーカは天井又は壁の陥凹部内に埋め込まれることがある。典型的には、これらの設置はすべて、これらのデバイスを収容するために従来の構成に対する修正を必要とする。
【課題を解決するための手段】
【０００４】
[4]  実装において、本開示は、基本支持体に固定されるように設計及び構成された支持構造と、支持構造に結合された複数の知覚出力タイルモジュールと、支持構造に結合され、複数の知覚出力タイルモジュールのうちの少なくともいくつかのための美的サラウンドを形成するように、複数の知覚出力タイルモジュールのうちのタイルモジュールと隣接関係で配置された、複数の非知覚出力タイルモジュールと、知覚出力タイルモジュールを駆動するための少なくとも１つのドライバに知覚出力タイルモジュールを電気的に接続する電気回路網と、を含み、非知覚出力タイルモジュールのうちの少なくとも１つは電気回路網の一部を形成する少なくとも１つのパススルー導電体を含む、建築用タイル張りパネルシステムを対象とする。
【図面の簡単な説明】
【０００５】
[5]  本発明を例示するために、図面は本発明の１つ以上の実施形態の態様を示す。しかしながら本発明は、図面内に示された精密な配置及び手段に限定されないことを理解されたい。
【０００６】
【図１】視覚型知覚出力タイルモジュールから構成される２つのモザイク状ビデオディスプレイと、非知覚出力タイルモジュールから構成される均一なサラウンドと、を含む例示的な建築用タイル張りパネルシステムの正面図である。
【図２】それぞれ視覚型及び聴覚型の知覚出力タイルモジュールから構成されるモザイク状のビデオディスプレイ及びオーディオスピーカと、非知覚出力タイルモジュールから構成される均一なサラウンドと、を含む例示的な建築用タイル張りパネルシステムの正面図である。
【図３】視覚型知覚出力タイルモジュールから構成される照明帯のペアと、非知覚出力タイルモジュールから構成される非照明帯のセットと、を含む例示的な建築用タイル張りパネルシステムの正面図である。
【図４】視覚型知覚出力タイルモジュールから構成されるモザイク状ビデオディスプレイと、静的グラフィクスを含み非知覚出力タイルモジュールから構成されるサラウンドと、を含む例示的な建築用タイル張りパネルシステムの正面図である。
【図５】これらのコンポーネントを構成する知覚出力タイルモジュール及び非知覚出力タイルモジュールがフレーム型の支持構造によって支持される、モザイク状のビデオディスプレイ、オーディオスピーカ、及びサラウンドを含む、例示的な建築用タイル張りパネルシステムの正面図である。
【図６Ａ】非知覚出力タイルモジュールのサイズが知覚出力タイルモジュールに対して異なる、例示的な建築用タイル張りパネルシステムのペアの正面図である。
【図６Ｂ】非知覚出力タイルモジュールのサイズが知覚出力タイルモジュールに対して異なる、例示的な建築用タイル張りパネルシステムのペアの正面図である。
【図７Ａ】タイルの正面と、２つの陥凹レセプタクルに係合された２つのコネクタビスケットとを示す、本開示に従って作成される例示的なタイルモジュールの等角図である。
【図７Ｂ】タイルの背面と、２つの陥凹レセプタクルに係合された２つのコネクタビスケットと、を示し、タイルモジュールが非知覚出力タイルである場合のデータ及び電力接続の例示的配置を図示する、図１Ａのタイルモジュールの拡大等角／線図である。
【図７Ｃ】タイルの背面と、２つの陥凹レセプタクルに係合された２つのコネクタビスケットと、を示し、タイルモジュールが知覚出力タイルである場合のデータ及び電力接続並びにエレクトロニクスの例示的配置を図示する、図１Ａのタイルモジュールの拡大等角／線図である。
【図８Ａ】コネクタビスケットを介して共に動作可能に接続された４つのタイルモジュールの例示的アセンブリの正面図である。
【図８Ｂ】４つのコネクタビスケットを介して共に動作可能に接続された４つのタイルモジュールを示す、図２Ａのアセンブリの拡大背面図である。
【図９Ａ】図１Ａから図２Ｂのコネクタビスケットのうちのいずれかとして使用可能なコネクタビスケットの正面を示す、等角図である。
【図９Ｂ】図３Ａのコネクタビスケットの背面を示す、等角図である。
【図１０】タイルモジュール（例示のために透明であるものと示されている）が、コーナーに配置され、対応する回転的に対称のコネクタビスケットを係合するように設計及び構成された、代替の陥凹レセプタクルを有する、建築用タイル張りパネルシステムの一部を示す、正面／概略図である。
【図１１】知覚出力タイルモジュールがケーブルを介して共に接続され、知覚出力及び非知覚出力のタイルモジュールが互いに直接結合された、例示的な建築用タイル張りパネルシステムの背面図である。
【図１２】知覚出力タイルモジュールを、１つ、２つ、又は３つの他のタイルモジュールと直接的に、及び任意選択により、任意数の他のタイルモジュールと間接的に接続するためのコネクタブロックを係合するための機構を示す、図７と同様の建築用タイル張りパネルシステムの一部として、モザイク状のビデオディスプレイパネル内で使用可能な、知覚出力タイルモジュールのコーナーの部分等角図である。
【図１３】隣接するタイルモジュールの提示面が互いに同一平面上にあることを保証するための、位置合わせピン及び対応するピンレシーバを示す、図７と同様の建築用タイル張りパネルシステムの一部として、モザイク状のビデオディスプレイパネル内で使用可能な、知覚出力タイルモジュールの等角図である。
【図１４】強磁性物質を含む支持構造にタイルモジュールを取り付けるために使用可能なマグネットを示す、図７と同様の建築用タイル張りパネルシステムの一部として、モザイク状のビデオディスプレイ内で使用可能な、知覚出力タイルモジュールの等角図である。
【図１５Ａ】個々のタイルモジュールを互いに及び／又は支持体にしっかりと接続するために使用可能な、４コーナーコネクタの一実施形態の表側の拡大斜視図である。
【図１５Ｂ】図１５Ａの４コーナーコネクタの側面図である。
【図１５Ｃ】図１５Ａ及び図１５Ｂの４コーナーコネクタの裏側の正面図である。
【図１６】図１５Ａから図１５Ｃのラッチ機構のうちの１つの拡大分解図である。
【図１７Ａ】ロック状態のラッチ機構を示す、図１５Ａから図１５Ｃの４コーナーコネクタのラッチ機構のうちの１つの拡大斜視図である。
【図１７Ｂ】ロック解除状態のラッチ機構を示す、図１７Ａのラッチ機構の拡大斜視図である。
【図１８Ａ】ラッチ機構のうちの１つがロック解除及びラッチ解除された、図１５Ａから図１５Ｃの４コーナーコネクタの表側の斜視図である。
【図１８Ｂ】図１８Ａの状態の４コーナーコネクタの裏側の斜視図である。
【図１９Ａ】図１８Ａ及び図１８Ｂのロック解除及びラッチ解除されたラッチ機構が回転された、図１５Ａから図１５Ｃの４コーナーコネクタの表側の斜視図である。
【図１９Ｂ】図１９Ａの状態の４コーナーコネクタの裏側の斜視図である。
【図２０Ａ】図１９Ａ及び図１９Ｂのロック解除、ラッチ解除、及び回転されたラッチ機構が引き戻された、図１５Ａから図１５Ｃの４コーナーコネクタの表側の斜視図である。
【図２０Ｂ】図２０Ａの状態の４コーナーコネクタの裏側の斜視図である。
【図２１】ラッチ内に正しく配置された場合の図１６に示されたコンポーネントの配置を示すためにラッチ機構の一部が透視で示された、図１５Ａから図１５Ｃの４コーナーコネクタの斜視図である。
【図２２】図１３に示されるタイルモジュールなどの隣接するタイルモジュールのペアを互いにしっかりと接続するため、又は、タイルモジュールを支持体にしっかりと接続するために使用可能な、例示的な２コーナーコネクタの斜視図である。
【発明を実施するための形態】
【０００７】
[6]  いくつかの態様において、本開示は、電子機能を美的魅力と統合させる統一された提示面を形成する、１つ以上の知覚出力タイルモジュール及び複数の非知覚出力タイルモジュールを含む、建築用タイル張りパネルシステムを対象とする。各「知覚出力タイルモジュール」は、人の知覚に対して知覚出力、例えば光及び／又は音を生成する、多種多様なモジュールのうちのいずれかであってよい。知覚出力タイルモジュールの例には、ビデオディスプレイモジュール（例えば、ＬＣＤ、ＬＥＤ、プラズマ、電子ペーパーなど）、モザイク状ビデオディスプレイの個々のビデオディスプレイタイル、ビデオ光非発光モジュール（例えば、背面照明、アンビエント照明、又はライトディスプレイ照明）、及びラウドスピーカ、並びにとりわけ、提示面を介してこうした光及び／又は音を出力するそれらの好適な組み合わせが含まれるが、これらに限定されない。これに対して、「非知覚出力タイルモジュール」は、いかなる知覚出力も提供しない、すなわち、建築用タイル張りパネルシステムの範囲内にいる人物のいずれかの感覚（例えば、視覚、聴覚など）を刺激することを意図するいずれの出力も積極的に（例えば、電子的に）提供せず、例えば、知覚出力タイルモジュールにサラウンドを提供するため、及び／又は、それ以外の方法で、知覚出力及び非知覚出力のタイルモジュールから構成されるパネル上に１つ以上の視覚に訴える非知覚出力領域を提供するために選択された、美的魅力のある前面、すなわち「提示」面が提供される、タイルモジュールである。各非知覚出力タイルモジュールの提示面は、自然石（例えば、薄く削った大理石、花こう岩、スレートなど）、木、ポリマー、複合物、布地（例えば、フレーム上に張るか又は基板に接着される、織布又は不織布）、紙、じゅうたん地、スタッコ、しっくい（テクスチャ加工有又は無）、ペイント、その他多数、及びそれらの任意の組み合わせなどの、任意の好適な材料で作成可能である。根本的に、非知覚出力タイルモジュールの提示面に用いられる材料のタイプ及び性質に制限はない。
【０００８】
[7]  いくつかの例において、非知覚出力タイルモジュールがいかなる意図的な知覚出力も提供しないという事実が、非知覚出力タイルモジュールが１つ以上の電子又は電気コンポーネントを含まないことを意味するものでないことに留意されたい。本開示のいくつかの建築用タイル張りパネルシステム内のいくつか又はすべての非知覚出力タイルモジュールがいずれの電子又は電気コンポーネントも有さない場合がある一方で、本開示の他の建築用タイル張りパネルシステムでは、非知覚出力タイルモジュールのうちの１つ以上が電気及び／又は電子コンポーネントを含む。例えば、いくつかの実施形態において、建築用タイル張りパネルシステムは、１つ以上の非知覚出力タイルモジュールが、電力、データ信号、及び／又はドライバ信号を１つ以上の知覚出力タイルモジュールに渡すように構成可能である。こうしたケースでは、非知覚出力タイルモジュールの各々又は選択した１つ以上の各々が、こうした電力、データ、及び／又はドライバ信号を搬送する１つ以上のパススルー導電体を含む。別の例として、いくつかの実施形態において、建築用タイル張りパネルシステムは、１つ以上の非知覚出力タイルモジュールが、電力、データ信号、及び／又はドライバ信号を渡すのみならず、知覚出力タイルモジュールのうちの１つ以上を支持するための搭載電子機器も有するように構成可能である。こうした搭載電子機器は、とりわけ、電源、ビデオドライバ、オーディオドライバ、及び電子安定器を含むことができるが、これらに限定されない。
【０００９】
[8]  いくつかの実施形態において、非知覚出力タイルモジュール内のパススルー導電体は、１つ以上の知覚出力タイルモジュールへの、及び／又は１つ以上の知覚出力タイルモジュールとの間の、直列及び／又は並列通信を可能にし得る。いくつかの実施形態において、こうした通信は、アドレス指定、タグ、チャネル、或いは、特定の知覚タイル及び／又は知覚タイルのロケーションを指定するように動作可能なフォーマット化又は情報を含むことができる。例えばこうした通信は、タイルのアレイ内のそのタイルの位置に関係なくロゴを表示する旨を、特定の知覚タイルに命令することができる。他方でこうした通信は、追加又は代替として、タイルのアレイ内の特定位置の知覚タイルに、その位置内の任意の知覚タイルがロゴを表示するが、その特定の位置からアレイ内の別の位置に移動した場合、そのロゴの表示を停止するように、ロゴを表示する旨を命令することができる。各タイルが、その使用を対象とするコマンド及び／又は他の情報を識別するためにコマンドを分析又はフィルタリングするように、コントローラによって、変調信号及び／又はチャネルのセットなどを介して、通信をすべてのタイルに同時に提供することができる。追加又は代替として、タイルが別のタイルを対象とするコマンド又は情報を受信した場合、その通信を別のタイルに渡すように、通信をコントローラによって特定のタイルに提供することができる。いくつかの実施形態において、コントローラ及び／又は１つ以上のタイルは、特定の知覚タイルについての通信を、効率的に、例えば対象のタイルに到達する前にアレイ内の他のタイルの各々を通過させる必要なしに、そのタイルにルーティングできるように、タイルの位置を認識していることができる。こうした位置の認識は、タイル内に１つ以上のジャイロスコープ及び／又は他のセンサを含むことによって可能になり得、いくつかの実施形態では、タイルの位置の認識は、各タイルに識別子を割り当てること、及び、各タイルに、その位置の上、右、左、及び／又は下に位置するタイルについての識別子を照会或いは他の方法で取得させ、その情報をコントローラ及び／又は他のタイルに送らせることによって実装可能である。いくつかの実施形態において、コントローラ又はタイルが、タイルのアレイ内のその独自の位置、及び／又はタイルのアレイへのその接続のロケーションを認識している場合、コントローラ又はタイルは、すべての知覚タイル並びに任意選択で非知覚タイルにコマンドを発行すると同時に、コマンドの受信の即時確認を要求することができる。コントローラ又はタイルは、その後、コマンドの発行と応答の受信との間の様々な遅延に応じて、他のタイルの位置を決定することが可能であり、１つ以上の識別子及び／又はタイムスタンプを含み得、個々のタイルからのコマンドが受信された時点及び／又は応答が送信された時点を示すことができる。
【００１０】
[9]  いくつかの実施形態において、コントローラ及び／又は１つ以上のタイルは、特定のタイルに対するコマンドをそのタイルにルーティングする際の最速ルートを決定するため、またその後、コントローラから発信された通信を受信する各タイルが、ルート内の次のタイルを識別し、そのルートに従って次のタイルにコマンドを渡すように、コマンドと共にそのルートの定義を提供するために、トポロジカル及び／又は他のアルゴリズムを実行することができる。いくつかの実施形態において、非知覚出力タイルモジュール内のパススルー導電体は、アレイ内のタイルの特定の構成に特有であり得る（例えば、アレイ内の右上コーナーの非知覚出力タイルは、右上コーナーのタイルの上又は右にタイルがないため、アレイ内のその左側のタイルと通信するために、アレイ内のその下のタイルから渡すための通信を実行可能にする、１つのみのパススルー導電体又はパススルー導電体のセットを含み得る）か、又は、タイルが任意の構成に適合可能なように一般的であり得る（例えば、１つ以上のパススルー導電体は、非知覚出力タイルに取り付けられた任意のタイルが、非知覚出力タイルに取り付けられた任意の他のタイルと通信できるようにする）。いくつかの実施形態において、知覚出力タイルは、パススルー導電体の１つ以上のセットも含むことができる。
【００１１】
[10]  非知覚出力タイルモジュールがいずれの電子又は電気コンポーネントも含まない場合、タイルモジュールの提示面を提供する材料、及び材料を支持構造に固定するための手段から単に構成することができる。提示面の材料、支持構造の性質、及び知覚出力タイルモジュールの構成に応じて、こうした非知覚出力タイルモジュールは、提示面材料を支持するため、及び／又はこうした材料を支持構造に固定するための、フレーム及び／又は基板及び／又は他のコンポーネントを含むことができる。非知覚出力タイルモジュールのすべてが電子又は電気コンポーネントを含まない実施形態において、電力、データ、及び／又はドライバ信号は、電力及び／又はドライバ電子機器からの直接ケーブリング、デイジーチェーンケーブリング、ワイヤレスデータシグナリングなどの任意の好適な手段を介して、知覚出力モジュールにルーティングすることができる。当業者であれば、ローカル要件に依存し得る任意の特定の設備のための適切な電力及び通信システムを理解されよう。異なる建築用タイル張りパネルシステム及び例示的設備の様々な例が、添付の図面に示され、以下で説明される。
【００１２】
[11]  いくつかの適用例において、建築用タイル張りパネルシステムは、建築用フィーチャとして、或いは、自立構造又はメディアディスプレイの一部などの建物の建築要素とは別のフィーチャとして、建物に組み込むことができる。これらの実装のうちのいくつかが以下の例に示されており、例示的な支持構造、電気接続、及びタイルモジュールを支持構造に取り付けるための手段を示すためにも与えられている。建築要素に関して、本発明に従って作られた建築用タイル張りパネルシステムのための使用例は、壁全体のフェーシング、天井全体のフェーシング、壁の一部（壁の隣接部と同一平面又は盛り上がるように作成可能）のフェーシング、天井の一部（天井の隣接部と同一平面又は盛り上がるように作成可能）のフェーシング、壁又は天井に固定されたアクセントフィーチャ、及び、建物の一部とみなされる別の構造に固定されたアクセントフィーチャを含むが、これらに限定されない。これらの一般性を念頭に置きながら、本発明に従って作成可能な建築用タイル張りパネルシステムのいくつかの特定な例示的設備を以下に示す。しかしながら、当業者であれば、これらの例が、本明細書で開示する基本的な特徴を使用して作成可能な多くの設備のうちのほんのわずかであることが、容易に理解されよう。当業者であれば、１）個々のタイルモジュールの提示面のサイズ及び形状、２）非知覚出力タイルモジュール用の提示面材料の広範な選択、３）非知覚出力タイルモジュールの提示面の色についての広範な選択、４）知覚出力タイルモジュールをそれらの作動電子機器に及び／又は互いに電気的に接続できる様々な方法、５）使用可能な様々な支持構造、６）タイルモジュールを支持構造に固定するために使用可能な様々な手段、７）使用可能な様々なタイプの知覚出力タイルモジュール、及び８）知覚出力及び非知覚出力タイルモジュール、がとりわけ異なる視覚効果を生成するように構成可能な、実質的に無制限な方法を含むがこれらに限定されない、設計者が制御可能な多くの変数に部分的に起因して、本開示に従って作成される建築用タイル張りパネルシステムの可能なインスタンス化が実質的に無制限であることも、容易に理解されよう。したがって、以下の例は、本開示に従って作成される建築用タイル張りパネルシステムの適応性及び有用性を表面的に論じているだけである。
【００１３】
[12]  次に図面に移ると、図１は、このケースでは建物の壁などの基底構造１１６に固定された基礎をなす支持構造１１２によってすべてが支持された、２つのモザイク状ビデオディスプレイ１０４（１）及び１０４（２）と、均一に色付け及びテクスチャ加工されたサラウンド１０８と、を含む、例示的な建築用タイル張りパネルシステム１００を示す。この例では、各モザイク状ビデオディスプレイ１０４（１）及び１０４（２）は、各々が１０インチ×１０インチの提示面を有する、１５個の同様の知覚出力タイルモジュール１２０から構成され、サラウンドは、各々が同じく１０インチ×１０インチの提示面を有する、１３８個の同様の非知覚出力タイルモジュール１２４から構成される（便宜上、そのうちのいくつかのみがラベル付けされている）。各タイルモジュール１２０及び１２４並びに基礎をなす支持構造１１２は、妥当な視聴距離から見ると、モザイク状ビデオディスプレイ１０４（１）及び１０４（２）並びにテクスチャ加工されたサラウンド１０８の各々が、実質的にシームレスに見えるような正確さで、互いに隣接するように構成される。この例では、各知覚出力タイルモジュール１２０は、ＬＣＤビデオディスプレイパネル及び関連付けられた電子機器（図示せず）を含み、各非知覚出力タイルモジュール１２４は、天然スレートのベニヤで作られた提示面を有する。この例における支持構造１１２は、平坦な強磁性材料であり、各タイルモジュール１２０及び１２４は、タイルモジュールの裏側に取り付けられた磁石を介して支持構造に固定される。またこの特定の例では、すべてのタイルモジュール１２０及び１２４は、Ｈｏｃｈｍａｎ等の名前で２０１６年１０月２５日出願の「ＤＥＶＩＣＥＳ  ＦＯＲ  ＣＲＥＡＴＩＮＧ  ＭＯＳＡＩＣＫＥＤ  ＤＩＳＰＬＡＹ  ＳＹＳＴＥＭＳ，  ＡＮＤ  ＤＩＳＰＬＡＹ  ＭＯＳＡＩＣ  ＳＹＳＴＥＭＳ  ＣＯＰＲＩＳＩＮＧ  ＳＡＭＥ」という名称の米国特許第９，４７７，４３８号（「第’４３８号特許」）に図示及び記載され、タイルモジュール、電気コネクタビスケット、支持構造、ドライバ電子機器、及び、ドライバ電子機器とタイルモジュールとの間の接続に関するその教示を含むが、それらに限定されず、下記で対象とされるような、本開示に関するその開示のすべてについて、参照により本明細書に組み込まれる、電気コネクタビスケットと同じか又は同様の電気コネクタビスケット（図１には図示せず）を使用して、互いに電気的に接続される。それに応じて、各タイルモジュール１２０及び１２４は、タイルモジュールを支持構造の面と垂直な方向に設置及び取り外しできるようにする、第’４３８号特許の陥凹電気レセプタクルと同じか又は同様な、４つの陥凹電気レセプタクルを含む。
【００１４】
[13]  この例におけるすべての非知覚出力タイルモジュール１２４は、構造が同一であり、各々が、モザイク状ビデオディスプレイ１０４（１）及び１０４（２）を構成する知覚出力タイル１２０に電力及びビデオドライバ信号を渡すためのパススルー配線及び任意の必要な電子機器を含む。これに関連して、建築用タイル張りパネルシステム１００は、電力及びビデオ信号を知覚出力タイル１２０に提供する電力及びビデオドライバモジュール１２８も含む。この例において、電力及びビデオドライバモジュール１２８は、その非知覚出力タイルモジュール上の陥凹電気レセプタクル（図示せず）のうちの１つに電気的に結合する電気コネクタビスケット（図示せず）を介して、非知覚出力タイルモジュール１２４（１）のうちの１つに接続される。同様の配置構成が、第’４３８号特許の図４に見られる。本出願の図１に示されたこの設置において、及び本開示の建築用タイル張りパネルシステムの任意の他の設置において、タイルモジュールによって形成される建築用タイル張りパネルは必ずしも平面的ではないことに留意されたい。むしろ、例えば、基底構造又は支持構造の輪郭に依存して、１つ以上の方向にカーブしている（第’４３８号特許の図４を参照）、「湾曲している」／「折り畳まれている」（例えば、蛇腹など）、又は、任意の他の形状とすることができる。
【００１５】
[14]  図２は、単一のモザイク状ビデオディスプレイ２０４、ステレオスピーカのペア２０８（１）及び２０８（２）、サブウーファスピーカ２１２、及び均一に色付け及びテクスチャ加工されたサラウンド２１６を含み、それらのすべてが、このケースでは、タイル張りパネルシステムを構成するタイルモジュール２３２、２３６、２４０、及び２４４の裏の対応するスナップ型適所取り付けスタッド（図示せず）を受け入れる、規則的なパターンのホール２２８（例示のために、タイルモジュールが取り外された、数個のみを図示）を有する金属シートを備える基礎をなす支持構造２２０によって支持される、例示的なタイル張りパネルシステム２００を示す。この例では、タイルモジュール２３２は、各々が提示面としてベゼル無しＬＣＤビデオディスプレイ２３２Ａを有するビデオディスプレイ型の知覚出力タイルモジュールであり、タイルモジュール２３６は、各々が１つ以上のミッドレンジ及び／又はツイータスピーカ（図示せず）を含み、音響的に透過なカバーリング２３６Ａを有する、ステレオスピーカ型の知覚出力タイルモジュールであり、タイルモジュール２４０は、各々が１つ以上のウーファスピーカ（図示せず）を含み、音響的に透過なカバーリング２４０Ａを有する、スピーカ型の知覚出力タイルモジュールであり、タイルモジュール２４４は、美的感覚に訴えるサラウンド２１６を作るために提供される非知覚型のタイルモジュールである。本例では、各非知覚型タイルモジュール２４４は、その提示面用の木製ベニヤ２４４Ａを含む。スピーカ型の知覚出力タイルモジュール２３６及び２４０の音響的に透過なカバーリング２３６Ａ及び２４０Ａは、木製ベニヤ２４４Ａと一致する、対照をなす、又は調和するように選択可能である。
【００１６】
[15]  各タイルモジュール２３２、２３６、２４０、及び２４４、並びに基礎をなす支持構造２２０の各々は、妥当な視聴距離から見ると、モザイク状ビデオディスプレイ２０４、スピーカ２０８（１）、２０８（２）、及び２１２、並びにテクスチャ加工されたサラウンド２１６の各々が、実質的にシームレスに見えるような正確さで、互いに隣接するように構成される。またこの特定の例では、すべてのタイルモジュール２３２、２３６、２４０、及び２４４が、第’４３８号特許に図示及び記載された電気コネクタビスケットと同じか又は同様の電気コネクタビスケット（図２では図示せず）を使用して、互いに電気的に接続される。それに応じて、各タイルモジュール２３２、２３６、２４０、及び２４４は、タイルモジュールを支持構造の面と垂直な方向に設置及び取り外しできるようにする、第’４３８号特許の陥凹電気レセプタクルと同じか又は同様の、４つの陥凹電気レセプタクルを含む。この例におけるすべての非知覚出力タイルモジュール２４４は、構造が同一であり、各々が、モザイク状ビデオディスプレイ２０４及びスピーカ２０８（１）、２０８（２）、及び２１２を構成する知覚出力タイルモジュール２３２、２３６、２４０に電力、ビデオ信号、及びオーディオ信号を渡すためのパススルー配線及び任意の必要な電子機器を含む。これに関連して、建築用タイル張りパネルシステム２００は、電力及びビデオ及びオーディオ信号を知覚出力タイルモジュール２３２、２３６、及び２４０に提供する電力、ビデオドライバ、及びオーディオドライバモジュール２４８も含む。この例において、電力、ビデオドライバ、及びオーディオドライバモジュール２４８は、その非知覚出力タイルモジュール上の陥凹電気レセプタクル（図示せず）のうちの１つに電気的に結合する電気コネクタビスケット（図示せず）を介して、非知覚出力タイルモジュール２４４（１）のうちの１つに接続される。同様の配置構成が、第’４３８号特許の図４に見られる。
【００１７】
[16]  ３つの非照明帯３０８（１）から３０８（３）と相互にかみ合わされた２つの照明帯３０４（１）及び３０４（２）を含む、例示的なタイル張りパネルシステム３００の一部を示す。例えば大型スタジアム又は同様の構造の長い環状回廊などの、長い壁に適用されるタイル張りパネルシステム３００を想定することができる。この例において、照明帯３０４（１）及び３０４（２）は発光知覚出力タイルモジュール３１２から構成され、非照明帯３０８（１）から３０８（３）は非知覚出力タイルモジュール３１６から構成される。発光知覚出力タイルモジュール３１２は、それらの提示面発光要素３１２Ａ及び基本構造の点では互いに同一であるが、照明帯３０４（１）及び３０４（２）のカーブに適応するような形状の点では互いに異なる。各発光要素３１２Ａは、１つ以上の照明デバイス（ＬＥＤ、電球など）によって裏から照らされる透明な色付きレンズ、適切なドライブ信号に応答して発光要素の色を変化させることが可能な照明デバイスのセットによって裏から照らされる透明な白色レンズ、及び、ＬＥＤアレイ（単色、多色、色及び／又はパターンの変化に対処可能など）などの、任意の好適な発光要素とすることができる。特定の一例では、一方、他方、又は両方の照明帯３０４（１）及び３０４（２）は、例えば見る人に対して情報及び／又は視覚的興味を与えるために、単語及び／又は記号及び／又は形状を、静的及び／又は動的に表示するように制御可能である。この実施形態において、非知覚出力タイルモジュール３１６は、各非照明帯３０８（１）から３０８（３）内に統一された色及び／又はテクスチャを提供することが可能であり、色及び／又はテクスチャは、すべての非照明帯の間で同じであるか、又は隣り合う非照明帯の間で異なり得る。他の実施形態では、各非知覚出力タイルモジュールの提示面３１６Ａに使用される材料は、任意の好適な材料であってよい。この例では、知覚出力及び非知覚出力のタイルモジュール３１２及び３１６のすべてが、基礎をなす強磁性支持構造３２０に磁気的に固定され、次にこれをとりわけ建物の壁などの基本支持体３２４に取り付けることができる。こうした磁気取り付けは、第’４３８号特許に開示されたものと同じか又は同様の様式で達成可能である。
【００１８】
[17]  各知覚出力及び非知覚出力のタイルモジュール３１２、３１６並びに基礎をなす支持構造３２０は、妥当な視聴距離から見ると、照明帯３０４（１）及び３０４（２）並びに非照明帯３０８（１）から３０８（３）の各々が、実質的にシームレスに見えるような正確さで、互いに隣接するように構成される。またこの特定の例では、すべての知覚出力及び非知覚出力のタイルモジュール３１２及び３１６が、第’４３８号特許に図示及び記載された電気コネクタビスケットと同じか又は同様の電気コネクタビスケット（図３では図示せず）を使用して、互いに電気的に接続される。それに応じて、各知覚出力及び非知覚出力のタイルモジュール３１２及び３１６は、タイルモジュールを支持構造３２０の面と垂直な方向に設置及び取り外しできるようにする、第’４３８号特許の陥凹電気レセプタクルと同じか又は同様の、４つの陥凹電気レセプタクルを含む。この例におけるすべての非知覚出力タイルモジュール３１６は、構造が同一であり、各々が、照明帯３０４（１）及び３０４（２）を構成する知覚出力タイルモジュール３１２に電力、ビデオ信号、及びオーディオ信号を渡すためのパススルー配線及び任意の必要な電子機器を含む。これに関連して、建築用タイル張りパネルシステム３００は、電力及び／又はグラフィック制御信号を知覚出力タイル３１２に提供する電力及び／又はグラフィックドライバモジュール３２８も含む。この例において、電力及び／又はグラフィックドライバモジュール３２８は、その非知覚出力タイルモジュール上の陥凹電気レセプタクル（図示せず）のうちの１つに電気的に結合する電気コネクタビスケット（図示せず）を介して、非知覚出力タイルモジュール３１６（１）のうちの１つに接続される。同様の配置構成が、第’４３８号特許の図４に見られる。
【００１９】
[18]  図４は、モザイク状ビデオディスプレイ４０４及び誇張されたサラウンド４０８を含む例示的なタイル張りパネルシステム４００を示し、この例では、モザイク状ビデオディスプレイの両側のグラフィクス、ここでは静的グラフィクス４１２（１）及び４１２（２）によって増補されている。タイル張りパネルシステム４００は、図１のタイル張りパネルシステム１００と同じか又は同様の構成を有し得るが、例外として、図４のタイル張りパネルシステム４００では、非知覚出力タイルモジュール４１６のうちのあるモジュールが、永続的に付加された静的グラフィクス４１２（１）及び４１２（２）を有する。各静的グラフィクス４１２（１）及び４１２（２）は、シルクスクリーニング、ペイント、ステッカーなどの、任意の好適な様式で付加することができる。典型的には、静的グラフィクス４１２（１）及び４１２（２）のうちの一方又は他方の一部を有する各個々の非知覚出力タイルモジュール４１６は、設置の前にその部分を事前に付加されることになるが、これは必須ではない。しかしながら、各静的グラフィクス４１２（１）及び４１２（２）は、非知覚出力タイルモジュール４１６が設置された後に付加することができる。図４のタイル張りパネルシステム４００と同様のタイル張りパネルシステムの設置は、例えば、タイル張りパネルシステムを建物の壁全体又はその大きな部分に付加できる、小売販売スペースでの適用に特に好適であり得る。こうしたケースでは、各静的グラフィクス４１２（１）及び４１２（２）は、会社のロゴ及び／又は小売業者によって販売される商品に関するグラフィックとするか、又はそれらを含むことができる。例えば、小売業者がアスレチックギヤを販売する場合、各静的グラフィクス４１２（１）及び４１２（２）は、小売業者のアスレチックギヤを身に着けながら特定のスポーツで活動している人物の大型写真又はシルクスクリーニングとすることができる。当業者であれば、単一のモザイク状ビデオディスプレイ４０４及び２つの静的グラフィクス４１２（１）及び４１２（２）のみが示されている間、任意数のビデオディスプレイ及びグラフィクスが使用可能であることを、容易に理解されよう。もちろん、ビデオディスプレイ及びグラフィクスの他の配置構成も使用可能である。
【００２０】
[19]  図５は、単一のモザイク状ビデオディスプレイ５０４、ステレオスピーカ５０８（１）及び５０８（２）のペア、及びサラウンド５１２を有する、例示的なタイル張りパネルシステム５００を示す。これらのコンポーネントの各々は、それぞれ図１、図２、及び図４に関連して上記で説明したタイル張りパネルシステム１００、２００、及び４００のタイルモジュール１２０、１２４、２３２、２３６、２４０、２４４、及び４１６などの、前述の他のタイル張りパネルシステムと同じか又は同様の知覚出力及び非知覚出力のタイルモジュールである、知覚出力及び非知覚出力のタイルモジュール５１６、５２０、及び５２４から構成される。図５のタイル張りパネルシステム５００と、図１、図２、及び図４のタイル張りパネルシステム１００、２００、及び４００との相違は、知覚出力及び非知覚出力のタイルモジュール５１６、５２０、及び５２４を支持する支持構造５２８の性質である。
【００２１】
[20]  タイルモジュールがまだ存在していないタイルモジュールレシーバ５３２（１）及び５３２（２）でわかるように、支持構造５２８は、（シートタイプ基板というよりは）フレーム５２８Ａと、フレームと係合された電気コネクタ５２８Ｂと、を備える。電気コネクタ５２８Ｂは、他の実施形態について上記で説明し、第’４３８号特許でより詳細に説明されている、電気コネクタビスケットと同じか又は同様とすることができる。これにより、電気コネクタ５２８Ｂを共形的かつぴったりと受け入れるように設計された陥凹レセプタクル（図示せず）を有するタイルモジュール５１６、５２０、及び５２４が、支持構造に対して垂直な方向に設置及び取り外しできるようになる。電気コネクタ５２８Ｂは、フレーム５２８Ａとモノリシックに一体化されるか、又は別々に形成され、任意の好適な手段を介してフレームに固定されることが可能である。電気コネクタ５２８Ｂがフレーム５２８Ａとモノリシックに形成される場合、電気コネクタのための配線は、フレーム上の１つ以上の外部接続ポイントに対して垂直及び水平のフレーム部材５２８Ｃの内部に格納され、これに沿って走らせることができる。このようにして、電気コネクタ５２８Ｂは、単に電力及び／又は信号を隣接するタイルモジュールへと通すだけでなく、むしろ電力及び／又は信号経路は、本質的に、垂直及び水平なフレーム部材５２８Ｃを通過する。代替として、電気コネクタ５２８Ｂは、電力及び／又は信号を１つの隣接するタイルモジュールから次へと渡すパススルーコネクタとすることができる。いくつかの実施形態において、フレーム５２８Ａは、金属の固体シートにかかるその重みを減らすために、ポリマー又は複合材料で作ることができる。しかしながらフレーム５２８Ａは、実際には、金属及び／又は他の材料で作ることもできる。いくつかの実施形態では、フレーム５２８Ａ自体が建築用であり得る。例えば、タイルモジュールレシーバ（例えば、タイルモジュールレシーバ５３２（１）及び５３２（２））に関して、フレームモジュールは、各フレームモジュールがその側面の各々に沿って別のフレームモジュールに結合されるように設計された、４×１、２×２、４×４、２×４などとすることができる。
【００２２】
[21]  図６Ａ及び図６Ｂは、本開示の任意の特定の建築用タイル張りパネルシステム内のすべてのタイルモジュールが同じサイズである必要がないことを示す。図６Ａは、モザイク状ビデオディスプレイ６０４及びサラウンド６０８を有し、サラウンド内でサラウンドを構成する各非知覚出力タイルモジュール６１２が、基本的にモザイク状ビデオディスプレイの各知覚出力タイルモジュール６１６の２倍の幅（又は長さ）である、単純な建築用タイル張りパネルシステム６００を示す。図６Ｂは、同じくモザイク状ビデオディスプレイ６５４及びサラウンド６５８を有し、サラウンド内でサラウンドを構成する各非知覚出力タイルモジュール６６２が、基本的にはモザイク状ビデオディスプレイの各知覚出力タイルモジュール６６６の２倍の幅及び２倍の長さである、別の単純な建築用タイル張りパネルシステム６５０を示す。サラウンド用により大きな非知覚出力タイルモジュールを提供することで、サラウンドのより迅速な組み立てが可能になり、サラウンドが比較的大きい場合の設置に有利となり得る。これらのより大きな非知覚出力タイルモジュール６１２及び６６２は単なる例示であり、他のサイズが可能である。しかしながら、状況は逆転可能であることに留意されたい。すなわち、知覚出力タイルモジュールのサイズが非知覚出力タイルモジュールよりも大きいことが可能である。また、複数サイズの各タイプのタイルモジュールを単一の建築用タイル張りパネル設備に使用することも可能である。図６Ａ及び図６Ｂの非知覚出力タイルモジュール６１２及び６６２のすべての他の態様は、本明細書で開示する他の実施形態と同じか又は同様であってよい。例えば、電気コネクタビスケット又は同様の構造体が使用される場合、図６Ａの非知覚出力タイルモジュール６１２について、これらの各モジュールの長い方の側は、２つのより小さい知覚出力タイルモジュール６１６に合うように、２つの陥凹コネクタレセプタクルを有することができる。同様に、電気コネクタビスケット又は同様の構造体が使用される場合、図６Ｂの非知覚出力タイルモジュール６６２の４つの側面の各々は、２つのより小さい知覚出力タイルモジュール６６６に合うように、２つの陥凹コネクタレセプタクルを有することができる。
【００２３】
[22]  次に図面を参照すると、図７Ａ及び図７Ｂは、知覚出力タイルモジュール又は非知覚出力タイルモジュールのいずれかとすることが可能な、タイルモジュール７００を示す。この例では、タイルモジュール７００はバッキング部７０４及び前面部７０８を含む。前面部７０８は、本開示の他の箇所で説明するいずれかの様式で光や音などの知覚出力を提供するように、アクティブであり得る。代替として前面部７０８は、本明細書の他の箇所で説明するように、建築用提示面を提供することなどによってパッシブであり得る。前面部７０８がアクティブであるか、又はそうでなければタイルモジュール７００がアクティブな電子機器を含む場合、バッキング部７０４は、前面部７０８に対するヒートシンク及び／又は任意の他の搭載電子機器として機能できるようにするために、比較的高い熱伝導性を有する材料で作成することができる。
【００２４】
[23]  図７Ａは、主にタイルモジュール７００の前面７１２を示し、これは、視聴者が、タイルモジュール７００が配設されたときにその一部となる建築用タイル張りパネルシステムを視聴するときに見る提示面である。この例において、タイルモジュール７００は磁気取り付け可能モジュールであり、磁気取り付けは、バック部７０４に取り付けられる永久磁石７１６のセット（図７Ｂ）によって達成される。当業者であれば容易に理解されるように、様々な個別の永久磁石のうちのいずれかを永久磁石７１６に使用することができる。図７Ａ及び図７Ｂには示されていないが容易に想像できるのが、タイルモジュールが建築用タイル張りパネルシステム内に配設されるときに永続磁石７１６が取り付けられる、非磁化強磁性金属シート又は金属格子などの強磁性支持構造である。
【００２５】
[24]  図７Ｂは、この例では、タイルモジュール７００が４つの陥凹レセプタクル７２０（１）から７２０（４）を有し、それぞれがタイルモジュールの４つの周囲縁７００（１）から７００（４）の各々の中央に置かれ、そのうちの２つは、図９Ａ及び図９Ｂに示され以下で説明するコネクタビスケット９００と同じか又は同様の同一コネクタビスケット７２４（１）及び７２４（２）のペアによって係合されているように示されていることを示す。図７Ｂに示された実施形態において、各陥凹レセプタクル７２０（１）から７２０（４）は、本質的に、陥凹部の深さがバッキング部の厚みに等しいか又はこれより大きい場合、タイルモジュールの対応する周囲縁に沿ってバッキング部７０４内のノッチによって形成可能な、タイルモジュール７００内の陥凹部７２８（１）から７２８（４）によって形成される。
【００２６】
[25]  図７Ｂに見られるように、この例では、各陥凹レセプタクル７２０（１）から７２０（４）は１６の平面電気接点７３２を含み（混乱を避けるために数個のみラベル付けされており、レセプタクル７２０（１）及び７２０（２）のみが可視である）、また図７Ａに見られるように、各コネクタビスケット７２４（１）及び７２４（２）は、ここではコネクタビスケットが対応する陥凹レセプタクルと完全に係合しているときに１６の平面接点を係合する、リーフスプリング型の１６の対応する電気接点７３６を含む（混乱を避けるために数個のみラベル付け）。当業者であれば、特定の設計に従い、任意の他の好適な数の電気接点が、前面部７０８及びコネクタビスケット７２４（１）及び７２４（２）に提供できることを容易に理解されよう。電気接点７３２は必ずしも前面部７０８になくてよいことに留意されたい。例えば、各陥凹レセプタクル７２０（１）から７２０（４）の深さがバッキング部７０４の厚みより少ない場合、電気接点７３２はバッキング部に提供可能である。別の例として、タイルモジュール７００が、別の層又は他の構造体を含むことなどによって、図示された構成とは異なる構成を有する場合、電気接点７３２はこうした他の層又は他の構造体上に提供可能である。電気接点７３２、及び、コネクタビスケット７２４（１）及び７２４（２）などの対応するコネクタビスケットは、タイルモジュール７００が、別のタイルモジュール（図示せず、但し図８Ａ及び図８Ｂを参照）、又は、とりわけビデオコントローラ、データソース、及び／又は電源などの、建築用タイル張りパネルシステム全体の他のコンポーネント（図示せず）と通信できるようにするものである。示された実施形態において、及び図７Ｂに見られるように、各コネクタビスケット７２４（１）及び７２４（２）は、このビスケットを、前述の金属シート又は金属格子などの非磁化強磁性支持構造に磁気的に引き付けるための永久磁石７４０を含む。
【００２７】
[26]  図７Ｂは、電気接点７３２の関連するものを、陥凹レセプタクル７２０（１）から７２０（４）と電気的にまとめて接続する、ここでは別々のデータ接続７４８及び電力接続７５２である、電気接続の例示的な配置構成も示す。データ及び電力接続７４８及び７５２は、タイルモジュール７００が、１つ以上の知覚出力タイルモジュールを機能させるためにこうした知覚出力タイルモジュールに最終的に渡されるデータ及び電力を搬送する、非知覚出力タイルモジュールであるときに、提供可能である。この例において、データ及び電力接続７４８及び７５２は、それぞれ、陥凹レセプタクル７２０（１）から７２０（４）のうちのいずれか１つがデータ又は電力を受信しているときに、その電力又はデータが他の３つの陥凹レセプタクルの各々に存在する、各４方向接続である。当業者であれば、データ及び電力接続７４８及び７５２は、図７Ｂでは図式的に表されており、接続は任意の好適な様式でタイルモジュール７００内に統合可能であることを容易に理解されよう。当業者であれば、示されたデータ及び電力接続７４８及び７５２は単なる例であり、例えば、タイルモジュール７００によって取り扱われるデータ及び電力信号の性質、及び、タイルモジュールが使用されることになる建築用タイル張りパネルシステム全体の内部のデータ及び電力ネットワーク全体の構成に応じて、他の配置構成が可能であることも理解されよう。
【００２８】
[27]  図７Ｃは、図７Ｂに示されたタイルモジュール７００と同じコンポーネントのうちの多くを示すが、タイルモジュールが知覚出力タイルモジュールである実施形態について、例示的なデータ及び電力接続７５６及び７６０をそれぞれ示す。図７Ｂと同様に、データ及び電力接続７５６及び７６０は、電気接点７３２のうちの関連するものを陥凹レセプタクル７２０（１）から７２０（４）と電気的にまとめて接続する。しかしながら、この例では、タイルモジュール７００は、タイルモジュールの知覚出力機能を制御する電子機器７６４も含み、データ及び電力接続７５６及び７６０は、電子機器が、ひいてはタイルモジュールが機能するために必要なデータ及び電力を提供するために、これらの電子機器とも通信する。この例において、データ及び電力接続７５６及び７６０は、それぞれ、
陥凹レセプタクル７２０（１）から７２０（４）のうちのいずれか１つがデータ又は電力を受信しているときに、その電力又はデータが他の３つの陥凹レセプタクルの各々に存在し、データ及び電力を電子機器７６４にも提供する、各４方向接続である。この例において、データ接続７５６のすべてのデータライン７５６（１）から７５６（４）は電子機器７６４に接続され、電力は単一の電力ライン７６０（１）を介して電子機器に提供される。これらの配置構成は、必要に応じて異なる実施形態において異なることが可能である。当業者であれば、示されたデータ及び電力接続７５６及び７６０は単なる例であり、例えば電子機器７６４の性質、タイルモジュール７００によって取り扱われるデータ及び電力信号の性質、並びに、タイルモジュールが使用されることになる建築用タイル張りパネルシステム全体内のデータ及び電力ネットワーク全体の構成に応じて、他の配置構成が可能であることを理解されよう。当業者であれば、データ及び電力接続７５６及び７６０は図７Ｃでは図式的に表されており、接続は任意の好適な様式でタイルモジュール７００内に統合可能であることも容易に理解されよう。
【００２９】
[28]  図８Ａ及び図８Ｂは、各々が図７Ａ及び図７Ｂのタイルモジュール７００と物理的に同一又は同様であり得る、４つのタイルモジュール８０４（１）から８０４（４）から構成され、各々が図７Ａ及び図７Ｂに示されたコネクタビスケット７２４（１）及び７２４（２）と同一である、４つのコネクタビスケット８０８（１）から８０８（４）を介して電気的にまとめて接続される、より大きな建築用タイル張りパネルの一部８００を示す。図８Ａ及び図８Ｂの例において、コネクタビスケット８０８（１）から８０８（８）及び陥凹レセプタクル８１２（１）から８１２（１６）のサイズ及び形状は、特に隣接する周囲縁８１６（混乱を避けるために数個のみラベル付け）と平行な方向での、タイルモジュール８０４（１）から８０４（４）などの隣接するタイルモジュール間の遊びの量を最小限にする、かなりのタイトフィットを作り出すために、慎重に選択及び形成され得る。これによって、タイルモジュール８０４（１）から８０４（４）などのタイルモジュールを互いに精密に位置合わせすることが可能であり、これは、小さいオフセットであってもディスプレイ上に表示されるイメージを視覚的に損ねる可能性がある高品質コンポジットディスプレイを提供するため、及び／又は、緊密かつ適切に位置合わせされたジョイント及びコーナーを備える高品質な美的感覚を提供するために、重要であり得る。図８Ａ及び図８Ｂは、別のタイルモジュール（図示せず）、又は、とりわけビデオコントローラ、データソース、及び／又は電源などの建築用タイル張りパネルシステム全体の他のコンポーネント（図示せず）に、動作可能に（ここでは電気的に）接続されるのを各々が待機している、３つのタイルモジュール、ここではタイルモジュール８０４（１）、８０４（２）、及び８０４（３）と係合された、４つの追加のコネクタビスケット８０８（５）から８０８（８）も示す。各タイルモジュール８０４（１）から８０４（４）は、各周囲縁８１６上に単一の陥凹レセプタクル８１２（１）から８１２（１６）を有するものとして示されているが、前述のように、各周囲縁には、特定の設計に合わせるために、必要に応じて２つ又はそれ以上の陥凹レセプタクルが提供可能であることに留意されたい。
【００３０】
[29]  図９Ａ及び図９Ｂは、図７Ａ及び図７Ｂのコネクタビスケット７２４（１）及び７２４（２）並びに図８Ａ及び図８Ｂのコネクタビスケット８０８（１）から８０８（８）の各々と、同じか又は同様のコネクタビスケット９００の特徴を示す。図９Ａに見られるように、この実施形態において、コネクタビスケット９００は、ビスケットの各エンドに１６のリーフスプリング型電気接点９１２（混乱を避けるために数個のみラベル付け）を提供する導電体をサンドイッチするように共に固定された、前面及び背面のハウジングコンポーネント９０４及び９０８を含む。前述のように、コネクタビスケット９００の全体のサイズ、形状、及び構成は、図７Ａ及び図７Ｂの陥凹レセプタクル７２０（１）から７２０（４）並びに図８Ａ及び図８Ｂの陥凹レセプタクル８１２（１）から８１２（１６）などの、問題のタイルモジュール上の対応する陥凹レセプタクルと、また所望であれば、こうしたモジュールの建築用タイル張りパネルシステム全体の任意の追加のコンポーネントと、ぴったりと係合させるように、選択及び形成可能である。いくつかの実施形態において、コネクタビスケット９００の相対するエンド上の対応する電気接点９１２の各ペアは、互いに電気的に通信可能であるが、１６の別々の信号経路を提供するために、電気接点の他方の各ペアから電気的に絶縁することができる。他の実施形態において、コネクタビスケット９００の一方のエンド上の１６の電気接点９１２のいくつか又はすべてを、建築用タイル張りパネルシステム全体の設計要件に応じて、ビスケットの他方のエンド上の１６の電気接点に、１つ以上のグループで電気的に接続することができる。その例を図８に関連して以下で説明する他の実施形態において、インターフェースポイント（例えば、電気接点９１２）のうちの様々な１つ又はすべてを、とりわけマイクロプロセッサ、信号プロセッサ、ワイヤレス通信デバイス、及びそれらの任意の組み合わせなどであるが限定されない、コネクタビスケットに搭載された１つ以上の電子コンポーネントに接続することができる。図９Ｂは、コネクタビスケットが使用のために配設されるとき、支持構造（図示せず）と向かい合う背面ハウジングコンポーネント９０８に固定された磁石９１６を含むものとして、コネクタビスケット９００のこの実施形態を示す。
【００３１】
[30]  図示された実施形態において、コネクタビスケット９００は、それぞれ図７Ｂ及び図８Ｂの同様の表面７４４及び８２０などの陥凹レセプタクル内の同様の面と、コネクタビスケットとその電気レセプタクルとの間に精密なフィットを実施するように、それらの間のギャップが最小限であるか又はない状態で向かい合うように設計及び構成された、外側面９２０などの外側面を含む。このように、隣接する個々のタイルモジュールと共に使用される場合、コネクタビスケット９００とはめ合わせレセプタクルとの完全な係合は、コネクタビスケットによって共に接続されたタイルモジュール間の適切な縁部位置合わせ及び／又はギャップを保証することができる。
【００３２】
[31]  コネクタビスケット９００は、２つのハウジングコンポーネント９０４及び９０８を有するように示されているが、いくつかの実施形態では、モノリシックに成形された構成、又は、より多い、より少ない、及び異なるタイプのハウジング構成を有する構成などの、別の構成を有し得ることに留意されたい。いくつかの実施形態において、磁石９１６は、除外するか、或いは、とりわけ接着ベースの締結手段、マジックテープベースの締結手段、又はスラップ留め機構コネクタなどの、別のタイプの締結手段に置き換えることができる。さらに、いくつかの実施形態において、電気接点９１２は、とりわけ平面接点、ソケット接点、及びピン接点などの、別のタイプの電気接点に置き換えること、及び／又は、任意の好適な数で提供すること、或いは、とりわけ光学インターフェースポイント、ＲＦインターフェースポイント、マイクロ波インターフェースポイント、又は磁気インターネットポイントなどの、別のタイプのインターフェースポイントに置き換えることができる。加えて、多くの他の形状が可能であるため、例示的なコネクタビスケット９００の特定の形状は単なる例であり、非限定的である。
【００３３】
[32]  図１０は、タイルモジュールを相互接続するために使用されるコネクタビスケット、ここではコネクタビスケット１００４（１）から１００４（９）が、それらの重心に対して回転対称である、コーナー接続タイルモジュール１０００（１）から１０００（４）の構成を示す。各タイルモジュール１０００（１）から１０００（４）は、問題の適用に好適な任意のタイプの知覚出力タイルモジュール又は非知覚出力タイルモジュールとすることができることに留意されたい。各タイルモジュール１０００（１）から１０００（４）は４つの陥凹レセプタクル１００８（１）から１００８（１６）を含み、その各々が、タイルモジュール１０００（１）の対角線１０００（１）Ａ及び１０００（１）Ｂなどの対応するモジュール対角線に対して物理的に対称である。この例において、コネクタビスケット１００４（１）から１００４（９）は互いに同一であり、各々が、４つのタイルモジュール（タイルモジュール１０００（１）から１０００（４）など）又は４つより少ないタイルモジュールとインターフェースするために、４つのインターフェースポイント１０１２（１）から１０１２（４）を含む（便宜上いくつかのみがラベル付け）。この例において、各インターフェースポイント１０１２（１）から１０１２（４）は、各陥凹レセプタクル１００８（１）から１００８（１６）内の２４の整合接触部材と電気的に接触するための２４の接触部材を有する、多接触電気コネクタを含む。インターフェースポイント１０１２（１）から１０１２（４）の電気接続性は、タイルモジュール１０００（１）から１０００（４）自体の設計、並びにそれらが一部である建築用タイル張りパネルシステム全体（図示せず）に依存する。当業者であれば、設計パラメータに従ってインターフェースポイント１０１２（１）から１０１２（４）を如何にして互いに相互接続するか、及び／又は、本明細書の他の箇所で説明する様式のいずれかなどで、インターフェースポイントを、あるとすれば電子機器（図示せず）に如何にして接続するかを容易に理解されよう。
【００３４】
[33]  図７Ａから図１０に示される種類の構成は、上記で詳細に説明された図１から図６Ｂの建築用タイル張りパネルシステムを含む、本開示の多くのタイプの建築用タイル張りパネルシステムに使用可能である。
【００３５】
[34]  図１１は、前述の他の実施形態のように、知覚出力タイルモジュール１１０４及び非知覚出力タイルモジュール１１０８が電気コネクタビスケットを介して共に電気的に接続されていない、例示の単純な建築用タイル張りパネルシステム１１００を示す。図１１の例において、知覚出力タイルモジュール１１０４は、モザイク状ビデオディスプレイを構成するビデオディスプレイモジュールであり、これらのモジュールは、このケースではモジュールを共にデイジーチェーン接続するケーブル１１１２を使用して、共に電気的に接続される。追加のケーブル１１１６は、デイジーチェーン内の第１の知覚出力タイルモジュール１１０４（１）を、ビデオドライバ１１２０に接続する。所望に応じて他のケーブリング方式が使用可能である。この例における非知覚出力タイルモジュールは、電気コネクタを含まず、美的魅力のある提示面（図１１には図示せず）を提供するだけである。
【００３６】
[35]  建築用タイル張りパネルシステム１１００は、知覚出力タイルモジュール１１０４及び非知覚出力タイルモジュール１１０８が、基本支持体（図示せず）（例えば、建物の壁）に固定可能であり、シートタイプ又はフレームタイプの支持構造による以外の様式でシステム内に固定可能であることも示す。図１１の建築用タイル張りパネルシステム１１００において、タイルモジュール１１０４、１１０８は、統一されたコンポジットパネル１１３２を形成するため、及び／又は吊り下げ型支持体１１３６などの支持体にタイルモジュールのうちの関連するものを接続するために、タイルモジュール１１０４、１１０８のうちの隣接するものどうしを接続するコーナーコネクタ１１２８介して、互いにしっかりと結合される。示された例において、コーナーコネクタ１１２８は、４つのタイルモジュール１１０４、１１０８を共に接続する４コーナーコネクタ（例えば、コーナーコネクタ１１２８（１））と、統一されたコンポジットパネル１１３２の自由縁に沿って２つのタイルモジュールを共に接続する２コーナーコネクタ（例えば、コーナーコネクタ１１２８（２））との、２つのタイプである。タイルモジュール１１０８の上部列を、統一されたコンポジットパネル１１３２の上端１１３２Ａに沿って吊り下げ型支持体１１３６に接続するコーナーコネクタ１１２８は、コーナーコネクタ１１２８（１）、１１２８（２）と同じであること、又は、コーナーコネクタが吊り下げ型支持体を係合する様式に対処するために必要に応じて異なること、が可能であることに留意されたい。いくつかの実施形態において、各コネクタ１１２８は、とりわけラッチキャッチ型コネクタ、又はピンアンドレシーバ型コネクタとすることができる。統一されたコンポジットパネル１１３２は吊り下げ型支持体１１３６によって支持されているように示されているが、垂直及び／又は水平に延在するフレーム部材を有し、タイルモジュール１１０４、１１０８のうちのいくつか又はすべてを接続する、支持フレーム（図示せず）、その他のオプションなどによって、別の様式で支持されることも可能である。いくつかの実施形態において、各タイルモジュール１１０４、１１０８は、そのモジュールを強磁性支持構造に固定するための１つ以上の磁石を有することができる。タイルモジュール１１０４、１１０８のうちのいくつか又はすべてを支持構造に固定するための他の手段が、使用可能である。
【００３７】
[36]  図１２は、対応するコーナーコネクタ（図示していないが、それぞれ、図１１の４コーナー及び２コーナーのコネクタ１１２８（１）及び１１２８（２）のいずれかなど）を係合するための２つ以上のタイルブロックの１つ以上のコーナーに存在し得るフィーチャを示す、図１１のタイルモジュール１１０４、１１０８のうちのいずれか１つなどの、タイルモジュールのコーナー部分１２００を示す。これらのフィーチャは、対応する位置合わせピン（図示されていないが、図１５Ｃの４コーナーコネクタ１５００の対応する位置合わせレシーバ１５３２内に係合可能な位置合わせピンとすることができる）をぴったりと受け取るための位置合わせレシーバ１２０４と、コーナーコネクタブロック（図示せず）上の整合キャッチを受け取るためのキーホール１２０８と、を含む。図示された実施形態において、キーホール１２０８は、ラッチ機構（例えば、図１５Ａから図１５Ｃのラッチ機構１５０８のキャッチ１５２０を参照）の長楕円キャッチを受け取るように設計及び構成され、キャッチの長い方向が（図１２に関連して）水平なときにキーホール内にキャッチが挿入可能である。キャッチがキーホール１２０８内に挿入されると、ユーザはキャッチを時計回りに回転させて、キャッチをキーホール内に締まりばめさせる。図示された実施形態において、キーホール１２０８は、キャッチの時計回り回転をその水平挿入向きから９０°に制限する、回転ストップ１２０８Ａ（図１２では１つだけ見られる）を含む。いくつかの実施形態では、所望に応じて、位置合わせレシーバ１２０４のみ、又はキーホール１２０８のようなキーホールのみを、タイルブロック内で使用することができる。モザイク状ビデオディスプレイパネルと共に使用されることになる非知覚出力タイルモジュール（図示せず）の構造の構成に応じて、各非知覚出力タイルモジュールは、整合コーナーコネクタブロック係合フィーチャを含むか又は含まないことができる。
【００３８】
[37]  図１３は、図１１の知覚出力タイルモジュール１１０４のうちのいずれか１つに使用可能な、例示的な知覚出力タイルモジュール、ここではビデオディスプレイタイルモジュール１３００を示す。この例において、知覚出力タイルモジュール１３００は、隣接するタイルモジュールの提示面（図示せず）が同一平面上にあり、適切に位置合わせされることを保証するのを支援する、スライド式位置合わせピン１３０４と予備ピンレシーバ１３０８とを含む。いくつかの実施形態において、スライド式位置合わせピン１３０４のみ、又はピンレシーバ１３０８のようなピンレシーバのみを、所望に応じて任意の特定のタイルモジュール内で使用することができる。同じく存在し得る任意の非知覚出力タイルモジュール（図示していないが、例えば図１１の非知覚出力タイルモジュール１１０８を参照）の構造の構成に応じて、各非知覚出力タイルモジュールは、整合スライド式位置合わせピン１３０４及びピンレシーバ１３０８を含むか又は含まないことができる。
【００３９】
[38]  ビデオディスプレイタイルモジュール１３００の表側は、タイルモジュールに提示面１３１６を提供するビデオディスプレイ１３１２を含む。ビデオディスプレイタイルモジュール１３００の裏側は、ビデオディスプレイ１３１２を駆動する電子機器（図示せず）を収容するハウジング１３２０、１３２４を含む。図示された実施形態において、ハウジング１３２０は、ハウス内に格納された電子機器からの熱を周囲環境まで下げるための、ヒートシンクフィン１３２８（混乱を避けるために数個のみラベル付け）を含む。ハウジング１３２０は、ビデオディスプレイタイルモジュール１３００との間でデータ及び電力を搬送する対応するそれぞれのケーブル（図示していないが、図１１のケーブル１１１２を参照）を受け取るための、ケーブルコネクタ１３３２（１）、１３３２（２）のペアも支持する。ビデオディスプレイタイルモジュール１３００は、作業者がタイルモジュールを容易に操作及び搬送できるようにする、ハンドル１３３６（１）、１３３６（２）のペアを含む。
【００４０】
[39]  図１４は、知覚出力タイルモジュール１３００が、所望に応じて、磁場を作成又は適用可能な磁化又は磁化可能コンポーネント、例えば電磁石などの強磁性材料及び／又は他のコンポーネントを含む支持構造（図示せず）に、タイルモジュールを取り付けるために使用可能な磁石１４００を、さらに含み得ることを示す。同じく存在し得る任意の非知覚出力タイルモジュール（図示していないが、例えば図１１の非知覚出力タイルモジュール１１０８を参照）の構造の構成に応じて、各非知覚出力タイルモジュールは、こうした磁石及び／又は他のコンポーネントを含むか又は含まないこと、或いは、異なる数及び／又は異なる配置構成の磁石を含むことができる。
【００４１】
[40]  図１５Ａ−図２１は、図１１の各４コーナーコネクタ１１２８（１）に使用可能な、例示的な４コーナーコネクタ１５００の細部を示し、図１３のタイルモジュール１３００及び図１１のタイルモジュール１１０４、１１０８などの個々のタイルモジュールを、互いに、及び／又は図１１の吊り下げ型支持体１１３６などの支持体に、確実に接続するために、４コーナーコネクタがどのように操作可能であるかを示す。図１５Ａから図１５Ｃに示されるように、４コーナーコネクタ１５００は、基底部に形成された対応するそれぞれのラッチ機構レシーバ１５１２と係合される、基底部１５０４及び４つのラッチ機構１５０８を含む。以下の開示を読めばより完全に理解されるように、各ラッチ機構１５０８は、ユーザが、図１２のキーホール１２０８などの対応するキーホールと係合された後に、対応する回転可能キャッチ１５２０（図１５Ｂ及び図１５Ｃ）を適所に回転、引き締め、及びロックできるようにする、対応する回転可能及び旋回可能なレバー１５１６によって作動可能である。図１５Ａ及び図１５Ｂでは、各レバー１５１６はその閉じた又はラッチがかけられた位置で示されている。
【００４２】
[41]  図１６に見られるように、各ラッチ機構１５０８は、キャッチ１５２０が固定されたままとなる第１の端部と、ピン１６０８を介してレバー１５１６に旋回可能に固定される第２の端部と、を有するキャッチ支持体１６０４を含む。レバー１５１６は、ラッチ機構１５０８がラッチ機構レシーバ１５１２内に係合され、キャッチ１５２０がタイルモジュールのキーホール（図示せず）内にロック式に係合されたとき、図１５Ｂにおけるレバー１５１６の回転軸１５２４と各カム面１６１２の一部１６１２Ａとの間の距離Ｄ１が、回転軸１５２４と各カム面の一部１６１２Ｂとの間の距離Ｄ２よりも短いことによって、ユーザが、タイルモジュールと４コーナーコネクタ１５００（図１５Ａ〜図１５Ｃ）の基底部１５０４とをしっかりと係合させることができる、カム面１６１２を含む。当業者であれば容易に理解されるように、距離Ｄ１及びＤ２は、レバー１５１６が開いているか又はラッチが外された位置（図１８Ａ及び図１８Ｂのレバー１５１６（１）を参照）で、カム面１６１２の一部１６１２Ａが基底部１５０４の表面１５０４Ａと係合されているときに、キャッチ１５２０を対応するキーホールと係合させることと、レバーがラッチを外された位置にある間にレバーを旋回させることによって、キャッチをキーホール内で容易に回転させることとを、ユーザが実行できるように、基底部１５０４の様々な寸法及びタイルモジュールの対応するキーホール（図示せず）と関連して、慎重に設計される。図１９Ａ及び図１９Ｂは、ユーザがキャッチを対応するキーホールに挿入するか、又はキャッチをそこから取り外すことが可能な、キャッチ１５２０の配向に対応する、（キャッチ支持体１６０４の回転軸１６０４Ａ（図１６）に対する）レバー１５１６（１）の回転配向１９００を示す。図１８Ａ及び図１８Ｂは、キャッチがキーホールとの締まりばめを有し、ユーザがレバーをラッチの外された位置（例えば、図１８Ａ及び図１８Ｂ）から閉じた位置（例えば、図１５Ｂ）へと旋回させることが可能であり、カム面１６１２の一部１６１２Ｂが基底部の表面１５０４Ａを係合しており、それによってタイルモジュール又は支持体（どちらも図示せず）を基底部１５０４の裏側１５０４Ｂとしっかりと係合させる、キャッチ１５２０の配向に対応する、（キャッチ支持体１６０４の回転軸１６０４Ａ（図１６）に対する）レバー１５１６（１）の回転配向１８００を示す。
【００４３】
[42]  図１６にも見られるように、例示的なラッチ機構１５０８は、ロック部材１６２０及びスプリング１６２４を含むロック機構１６１６を含み、ロック部材及びスプリングは、ロック部材が内部へとスライド可能であり、スプリングがロック部材をロック位置へとバイアスをかけるように、レバー１５１６内の好適な形状のレセプタクル１６２８内に係合される。ロック部材１６２０は、ボタン端部１６２０Ａを有するものと見なすことができる。ロック部材１６２０のロック位置は図１７Ａに示され、ボタン端部１６２０Ａはレセプタクル１６２８から延在しており、ロック部材のロック解除位置は図１７Ｂに示され、ボタン端部はレバー１５１６の側面とより同一平面上にある。図１６を再度参照すると、ロック部材１６２０はノッチ１６２０Ｂを有し、キャッチ支持体１６０４上のロック部材キャッチ１６０４Ｂが、そのボタン端部１６２０Ａが押し下げられたときにロック部材を通過させること、及び、ボタン端部がレセプタクル１６２８から突出し、ロック部材がそのロック位置にあるように、ロック部材にバイアスがかけられたときに、干渉部分１６２０Ｃでロック部材をキャッチすることを可能にするように配置される。ロック部材キャッチ１６０４Ｂがロック部材１６２０の干渉部分１６２０Ｃと係合されたとき、レバー１５１６はその閉じた位置でロックされる。
【００４４】
[43]  図１５Ｃは、いくつかの位置合わせレシーバ１５３２が４コーナーコネクタ１５００の裏側に含められ得ることを示す。位置合わせレシーバ１５３２は、図１２の位置合わせレシーバ１２０４に対応し得る。いくつかの実施形態において、位置合わせレシーバ１２０４及び／又は位置合わせレシーバ１５３２は一時的に提供される（例えば、手動で挿入される）か、或いは、永続的に配置されるか、又は、４コーナーコネクタ１５００とタイルモジュール及び／又はそれと共に使用される１つ以上の支持体との間の適切な位置合わせを容易にする（例えば粘着性、締まりばめ、一体形成、又はその他の）位置合わせピン（図示せず）と交換されることが可能である。
【００４５】
[44]  図１５Ｂ及び図１５Ｃを参照すると、この実施形態において、各ラッチ機構１５００は、ラッチ機構レシーバ１５１２からのラッチ機構１５０８を防ぐようにキャッチ１５２０に干渉を提供するために使用可能な、対応する留めねじ１５３６を有する。これに関連して、各ラッチ機構レシーバ１５１２は、キャッチ支持体１６０４（図１６）の円筒部と共形的かつスライド可能に向かい合う円形の上部及び下部と、図１５Ｃでキャッチが回転されたときにその長軸が水平であるようにキャッチ１５２０が基底部１５０４を通過させることが可能な側面チャネルとを有する、横軸断面形状（図１５Ｃ）を有する。
【００４６】
[45]  図１８Ａから図２０Ｂは、図１５Ａから図１５Ｃの４コーナーコネクタ１５００のラッチ機構１５０８（１）を、タイルモジュール又は支持体（どちらも図示せず）からラッチ解除するプロセスの、様々なステップを示す。４コーナーコネクタをタイル及び／又はそれが係合されている支持体から解放するために、４コーナーコネクタ１５００のすべての係合及びラッチされたラッチ機構１５０８上で、同じステップが実行される必要があることを容易に理解されよう。これらのステップの順序は、一般に、４コーナーコネクタをタイルモジュール又は支持体に固定する際には逆にできることが、容易に理解されよう。図１６、図１７Ａ、及び図１７Ｂに示されるように、ラッチ機構１５０８は、ボタン端部１６２０Ａを有するロック部材１６２０を含む。タイルモジュール又は支持体に係合及びラッチされていると想定されるラッチ機構１５０８（１）を、タイルモジュール又は支持体から係合解除するために、ユーザは、第１にロック部材１６２０のボタン端部１６２０Ａを、押し下げられていないロックされた位置（図１７Ａ）から、押し下げられロック解除された位置（図１７Ｂ）まで押し下げなければならない。ユーザがロック部材１６２０のロックボタン端部１６２０Ａを完全に押し下げた後、ラッチ機構１５０８のレバー１５１６はロック解除され、ここでユーザは、４コーナーコネクタ１５００の基底部１５０４から離れてレバーを旋回させることによって、図１５Ａ及び図１５Ｂに示されたラッチされた位置から、図１８Ａ及び図１８Ｂに示されたラッチ解除された位置へと、タイルモジュール又は支持体からラッチ機構をラッチ解除することができる。ロック解除及びラッチ解除されると、ユーザは、レバー１５１６（１）を図１８Ａの回転配向１８００から図１９Ａの回転配向１９００へと反時計回りに回転させる（いくつかの実施形態では、時計回りの回転も使用可能である）ことによって、ラッチ機構１５０８（１）を回転させ、対応するキーホール（図示せず）とのその締まりばめからキャッチ１５２０（１）を係合解除することができる。ユーザが、図１９Ａ及び図１９Ｂの回転配向１９００へとラッチ機構１５０８（１）を回転させた後、厳密に必要ではないが、ユーザは、図２０Ａ及び図２０Ｂに示されるように、例えばタイルモジュール又は支持体からの４コーナーコネクタ１５００の簡単な取り外しを容易にするために、キャッチ１５２０をラッチ機構レシーバ１５１２（１）内へ格納するように、レバー１５１６（１）を引っ張ることによって、ラッチ機構をタイルモジュール又は支持体から引き離すことも可能である。前述のように、図１８Ａから図２０Ｂに関連して図示及び説明したステップは、一般に、ラッチ機構１５０８（１）をタイルモジュール又は支持体に係合させるために逆にすることができる。
【００４７】
[46]  図２２は、図１５Ａから図１５Ｃの４コーナーコネクタ１５００などの４コーナーコネクタの定位置で使用可能な２コーナーコネクタ２２００を示し、図１１の統一されたコンポジットパネル１１３２などのタイルモジュールのアセンブリの自由縁に沿って使用する場合、特に有用である。４つのタイルモジュールのコーナー又は２つのタイルモジュールのコーナーが互いに及び支持体と合致する、典型的には完全な４コーナーコネクタが使用される間、基底部２２０４及び２つのラッチ機構２２０８を含む、図２２の２コーナーコネクタ２２００と同様の２コーナーコネクタを、図１１の統一されたコンポジットパネル１１３２の左側及び右側の自由縁などに沿って、２つのタイルモジュール又は単一のタイルモジュールの２つのコーナーのみが支持体と合致する、コンポジットパネルの側部自由縁及び底部自由縁（例えば、図１１を参照）に沿って使用することができる。
【００４８】
[47]  それぞれ図１５Ａ〜図１５Ｃ及び図２２の例示的な４コーナー及び２コーナーのコネクタ１５００及び２２００の各々が、機械的接続のみを提供することに留意されたい。しかしながら他の実施形態において、コネクタが機械的に共に締結しているタイルモジュールの間／中で、データ信号及び／又は電力を搬送するために、これら及び同様のコネクタの各々に、電気コネクタ、配線／ケーブリング、及び／又は、他の電気コンポーネントを提供することができる。例えば、図７Ａ及び図７Ｂのコネクタビスケット７２４（１）及び７２４（２）の電気接続及び配線、図８Ａ及び図８Ｂのコネクタビスケット８０８（１）から８０８（８）、図９Ａ及び図９Ｂのコネクタビスケット９００、及び／又は図１０のコネクタビスケット１００４（１）から１００４（９）などの、電気的フィーチャを、図１５Ａから図１５Ｃの４コーナーコネクタ１５００の基底部１５０４及び／又は図２２の２コーナーコネクタ２２００の基底部２２０４に、組み込むことが可能である。特定の例として、当業者であれば、図１０のタイルモジュール１０００（１）から１０００（４）のコーナーレセプタクル１００８（１）から１００８（１６）にある電気インターフェースポイントと同様に、その４つのコーナーに電気インターフェースポイントを有し、図１５Ａから図１５Ｃの４コーナーコネクタ１５００のように構成されるが、インターフェースポイント１０１２（１）から１０１２（４）などの図１０のコネクタビスケット１００４（１）から１００４（９）の電気的フィーチャを備える、対応する４コーナーコネクタを有する、矩形のタイルモジュールを、容易に想定可能である。したがって、この例における各タイルモジュールは、図１５Ａから図１５Ｃの４コーナーコネクタ１５００のラッチ機構１５０８などの、対応するラッチ機構を係合するために、各コーナーに図１２のキーホール１２０８と同様のキーホールを含むことになる。２コーナーコネクタも、同様に修正可能である。図１２のタイルモジュール１２００の位置合わせ陥凹部１２０４及び図１５Ｃの４コーナーコネクタ１５００の位置合わせ陥凹部１５３２などの、タイルモジュール及びコーナーコネクタ上の位置合わせ陥凹部が、提供可能であるか又は可能でないことに留意されたい。提供される場合、特定の設計に応じてそれら自体が電気コネクタとして機能することができる。
【００４９】
[48]  図１５Ａから図１５Ｃの４コーナーコネクタ１５００又は図２２の２コーナーコネクタ２２００と同様のコネクタは、タイルモジュールのコーナーのみで使用される必要のないことに留意されたい。むしろ、こうしたコネクタ又は同様のコネクタは、コーナー以外の場所で使用可能である。加えて、こうした非コーナーコネクタは、例えば直前で説明したように、電気コンポーネントを含むことができる。当業者であれば、過度の実験をせずに、本開示を指針として使用しながら、多様な機械的及び機械電気的コネクタを考案することが可能であろう。
【００５０】
[49]  以上、本発明の例示的実施形態を詳細に説明してきた。本明細書及び添付の特許請求の範囲において、「Ｘ、Ｙ、及びＺのうちの少なくとも１つ」及び「Ｘ、Ｙ、及びＺのうちの１つ以上」という言い回しで使用されるような接続語は、特に明記又は指示されていない限り、接続リスト内の各項目が、リスト内のあらゆる他の項目を含まない任意数で、或いは、接続リスト内の任意又はすべての他の項目と組み合わせた任意数で、存在可能であり、その各々も任意数で存在可能であることを意味するものであることに留意されたい。この汎用規則を適用し、接続リストがＸ、Ｙ、及びＺからなる前述の例における接続の言い回しは、各々が、Ｘのうちの１つ以上と、Ｙのうちの１つ以上と、Ｚのうちの１つ以上と、Ｘのうちの１つ以上及びＹのうちの１つ以上と、Ｙのうちの１つ以上及びＺのうちの１つ以上と、Ｘのうちの１つ以上及びＺのうちの１つ以上と、Ｘのうちの１つ以上、Ｙのうちの１つ以上、及びＺのうちの１つ以上と、を包含するものとする。
【００５１】
[50]  本発明の趣旨及び範囲を逸脱することなく、様々な修正及び追加が実行可能である。前述の様々な実施形態の各々の特徴は、新規実施形態との関連で多様な特徴の組み合わせを提供するために、他の説明した実施形態の特徴と適宜組み合わせることができる。さらに、上記では多数の別々の実施形態を説明しているが、本明細書で説明した内容は、本発明の原理の適用例の単なる例示である。加えて、本明細書の特定の方法は特定の順序で実行されるものとして図示及び／又は説明され得るが、この順序付けは、本開示の態様を達成するために通常の技術の範囲内で大幅に変更可能である。したがって本説明は、単なる例として行われるものであり、本発明の範囲を限定するものでないことを意味する。
【００５２】
[51]  例示的実施形態について上記で開示し、添付の図面で図示してきた。当業者であれば、本発明の趣旨及び範囲を逸脱することなく、本明細書で具体的に開示された内容に対する様々な変更、省略、及び追加が実行可能であることを理解されよう。
【図１】
0006466989.tif 000002
【図２】
0006466989.tif 000003
【図３】
0006466989.tif 000004
【図４】
0006466989.tif 000005
【図５】
0006466989.tif 000006
【図６Ａ】
0006466989.tif 000007
【図６Ｂ】
0006466989.tif 000008
【図７Ａ】
0006466989.tif 000009
【図７Ｂ】
0006466989.tif 000010
【図７Ｃ】
0006466989.tif 000011
【図８Ａ】
0006466989.tif 000012
【図８Ｂ】
0006466989.tif 000013
【図９Ａ】
0006466989.tif 000014
【図９Ｂ】
0006466989.tif 000015
【図１０】
0006466989.tif 000016
【図１１】
0006466989.tif 000017
【図１２】
0006466989.tif 000018
【図１３】
0006466989.tif 000019
【図１４】
0006466989.tif 000020
【図１５Ａ】
0006466989.tif 000021
【図１５Ｂ】
0006466989.tif 000022
【図１５Ｃ】
0006466989.tif 000023
【図１６】
0006466989.tif 000024
【図１７Ａ】
0006466989.tif 000025
【図１７Ｂ】
0006466989.tif 000026
【図１８Ａ】
0006466989.tif 000027
【図１８Ｂ】
0006466989.tif 000028
【図１９Ａ】
0006466989.tif 000029
【図１９Ｂ】
0006466989.tif 000030
【図２０Ａ】
0006466989.tif 000031
【図２０Ｂ】
0006466989.tif 000032
【図２１】
0006466989.tif 000033
【図２２】
0006466989.tif 000034